(57)【要約】      （修正有）【課題】簡単な構成で使用者に合わせた加温状態を設定することができる毛布を提供する。【解決手段】毛布１は、矩形状の毛布本体と、毛布本体の片面に縫製により密着して取り付けられた布材と、布材上に配置された所定形状の布片を毛布本体に布材とともに縫製により取り付けて形成された複数の挿入部２とを備え、毛布本体の長手方向の中心線Ｔから両側に間隔を空けて複数個の挿入部２が２列で配列されており、配列された挿入部２は、中心線Ｔに沿って等間隔で配列されている。挿入部２には、使用者の状態に合わせて発熱体を挿入して装着する。【選択図】図１
0003164793.tif 000002
【実用新案登録請求の範囲】
【請求項１】
矩形状の毛布本体と、前記毛布本体の少なくとも片面に縫製により密着して取り付けられた布材と、前記布材上に配置された所定形状の布片を前記毛布本体に前記布材とともに縫製により取り付けて形成された複数の挿入部とを備え、前記毛布本体の長手方向の中心線から両側に間隔を空けて複数個の前記挿入部が２列で配列されており、配列された前記挿入部は、前記中心線に沿って等間隔で配列されていることを特徴とする毛布。
【請求項２】
前記挿入部は、前記毛布本体の長手方向の同じ側の辺部を縫製せずに開口するように形成されていることを特徴とする請求項１に記載の毛布。
【請求項３】
前記挿入部は、前記中心線側の辺部を縫製せずに開口するように形成されていることを特徴とする請求項１に記載の毛布。
【考案の詳細な説明】
【技術分野】
【０００１】
本考案は、災害等が発生した際に被災者に提供するのに好適な加温用の毛布に関する。
【背景技術】
【０００２】
これまで災害等が発生した場合には、災害による被災者に対して毛布が提供されている。例えば、水害等による被災者に対しては、全身が水に濡れた状態のため体温が低下しないように毛布により全身を包み、救急車等により搬送されている。また、避難所等では予め毛布が備蓄されており、避難した被災者に対して毛布が提供されて体が冷えないようにしている。
【０００３】
こうした災害時に提供される従来の毛布は加温機能を備えていないため、被災者を毛布に包んだ状態にしても被災者の体温が保たれず低下してしまうことがあった。特に、気温が低い寒い日や衣服が濡れた状態では、毛布だけでは被災者の体温を維持することができず、体温の低下によるショック症状を起こす可能性が高まる。
【０００４】
毛布に加温機能を持たせたものとしては、電気毛布が一般的に普及しているが、災害現場や避難所等では電源の確保が困難であり、電気毛布を使用することはできない。そのため、毛布に使い捨てカイロ等の発熱体を組み合わせることが考えられる。例えば、特許文献１では、掛け毛布の外側の足元近くにポケットを設けてカイロを入れるようにした点が記載されている。また、特許文献２では、毛布の外側にカイロ用のポケットを設けた点が記載されている。
【先行技術文献】
【特許文献】
【０００５】
【特許文献１】登録実用新案第３１１５２２５号公報
【特許文献２】実開昭６２−１６４８７７号公報
【考案の概要】
【考案が解決しようとする課題】
【０００６】
上述した特許文献では、足元を加温するためのポケットを設けているが、被災した傷病者等の体温低下に対応することは想定されておらず、体温を維持するだけの十分な加温状態を得ることは難しい。
【０００７】
また、傷病者等への加温については、発汗するような加温は命にかかわる場合もあり、絶対に避ける必要がある。そのため、加温に必要なカイロの個数及び加温位置を使用者毎に調整して、体温低下が生じることなく発汗のない加温状態を実現することが要請される。
【０００８】
そこで、本考案は、簡単な構成で使用者に合わせた加温状態を設定することができる毛布を提供することを目的とする。
【課題を解決するための手段】
【０００９】
本考案に係る毛布は、矩形状の毛布本体と、前記毛布本体の少なくとも片面に縫製により密着して取り付けられた布材と、前記布材上に配置された所定形状の布片を前記毛布本体に前記布材とともに縫製により取り付けて形成された複数の挿入部とを備え、前記毛布本体の長手方向の中心線から両側に間隔を空けて複数個の前記挿入部が２列で配列されており、配列された前記挿入部は、前記中心線に沿って等間隔で配列されていることを特徴とする。さらに、前記挿入部は、前記毛布本体の長手方向の同じ側の辺部を縫製せずに開口するように形成されていることを特徴とする。さらに、前記挿入部は、前記中心線側の辺部を縫製せずに開口するように形成されていることを特徴とする。
【考案の効果】
【００１０】
本考案は、上記のような構成を有することで、挿入部を本体の長手方向の中心線から両側に間隔を空けて２列で配列し、配列された挿入部を中心線に沿って等間隔で配列するようにしているので、使用者に対して毛布本体の中心線に合わせて毛布を掛けることで、使用者の体の左右両側に挿入部が配列するようになる。そのため、挿入部に使い捨てカイロ等の発熱体を装着すれば、体の左右両側から発熱体で挟むように熱が伝わるようになって、体を左右両側から均等に加温することができる。そして、配列された挿入部が体の上下方向に等間隔で配列するようになるため、加温する位置に応じて発熱体を挿入部に挿着すれば使用者の状態に合わせて最適の加温状態を実現することができる。
【００１１】
また、毛布本体の外側から発熱体により加温するため、発熱体の熱により毛布本体が温められて内側の体が間接的に加温されるようになるので、体が局所的に熱くなることはなく、体全体が温まるようになって体温の低下を抑止することができる。
【００１２】
また、毛布本体に布材を縫製により密着して取り付けるとともに挿入部を形成する布片を布材とともに毛布本体に縫製により取り付けているので、布片が布材とともに毛布本体にしっかりと取り付けられて挿入部に使い捨てカイロ等の携帯用発熱体を装着した場合でも布片が外れることがない。そして、毛布本体に布材及び布片を取り付けた簡単な構造であるため、従来の毛布と同様に折り畳んで収納可能であり、被災用品として好適である。
【００１３】
毛布の使用後には、装着した発熱体を挿入部から取り出して毛布をクリーニングすることができ、クリーニングした毛布を再利用すれば経済面及び衛生面で優れた被災用品となる。
【図面の簡単な説明】
【００１４】
【図１】本考案に係る実施形態に関する平面図である。
【図２】図１に示す毛布を使用者に掛けた状態に関する外観斜視図である。
【図３】図１のＡ−Ａ断面図である。
【図４】図１のＢ−Ｂ断面図である。
【図５】図２のＣ−Ｃ断面図である。
【図６】毛布の発熱体の装着状態を示す平面図である。
【図７】毛布の発熱体の装着状態を示す平面図である。
【図８】挿入部の変形例に関する平面図である。
【考案を実施するための形態】
【００１５】
以下、本考案に係る実施形態について詳しく説明する。なお、以下に説明する実施形態は、本考案を実施するにあたって好ましい具体例であるから、技術的に種々の限定がなされているが、本考案は、以下の説明において特に本考案を限定する旨明記されていない限り、これらの形態に限定されるものではない。
【００１６】
図１は、本考案に係る実施形態に関する平面図であり、図２は、図１に示す毛布を使用者に掛けた状態に関する外観斜視図である。また、図３及び図４は、それぞれ図１のＡ−Ａ断面図及びＢ−Ｂ断面図であり、図５は、図２のＣ−Ｃ断面図である。
【００１７】
毛布１は、矩形状の毛布本体１０の一方の片面に薄地の布材１１が覆うように取り付けられている。布材１１は、図１に上下方向の点線で示すように所定間隔を空けて縫製により毛布本体１０に密着して取り付けられており、いわゆるキルト加工と同様に布材１１全体が毛布本体１０にしっかりと取り付けられている。そして、毛布本体１０及び布材１１の周縁部は、細幅の縁地１３により覆われており、縁地１３は縫製により固定されている。
【００１８】
布材１１の表面には、１２個の矩形状の布片１２が縫製により取り付けられて挿入部２が形成されている。挿入部２は、毛布本体１０の長手方向の中心線Ｔの両側に所定間隔を空けて６個ずつ２列に配列されており、各列の挿入部２は、等間隔で配列されている。なお、各列に配置する挿入部の数は、必要に応じて適宜設定することができ、６個に限定されない。例えば、毛布のサイズが小さい場合には、６個より少ない数にすればよく、また、発熱体のサイズが小さい場合には、布片のサイズを小さくして６個より多い数の挿入部を配置することもできる。
【００１９】
布片１２は、毛布本体１０の長手方向の同じ側（図１では上側）を縫製せずに開口させて残りの辺部を毛布本体１０及び布材１１とともに縫製し縫い目１２ａを形成して取り付けられている。布材１２は、周縁部を細幅状に二重に折り畳んで縫い付けることでしっかりと取り付けることができる。
【００２０】
このように布片１２を毛布本体１０に布材１１とともに縫い付けることで、使い捨てカイロ等の発熱体を挿入部２に挿入した状態でも布片１２が外れることなく発熱体を保持することができる。
【００２１】
毛布本体１０としては、両面が起毛された公知の毛布を使用すればよい。布材１１としては、例えば、寝具用として使用されるシーツ状の薄地の織地からなるものが好ましい。また、布片１２としては、例えば、布材１１と同様の織地を矩形状に裁断して用いればよい。
【００２２】
挿入部２に使い捨てカイロ等の発熱体３を挿入して装着した毛布１の場合には、図２及び図５に示すように、中心線Ｔに合わせて使用者に毛布１を掛けた状態では、使用者の体Ｍの左右両側から発熱体３が挟むように配置される。そのため、使用者の体を左右両側から温めるようになり、体を均一に加温することができる。そして、毛布本体１０の外側に発熱体３が配置されているため、発熱体３の熱が毛布本体１０を介して間接的に体を温めるようになり、局所的に熱くならずに最適な加温状態を得ることができる。
【００２３】
また、発熱体３が使用者の体の左右両側に傾斜した状態で配置されるため、発熱体３の重量により毛布本体１０が体に密着した状態になって使用者に掛けられた毛布を安定させることができる。
【００２４】
図２では、すべての挿入部２に発熱体３を装着した毛布１について説明したが、使用者の状態に合わせて挿入部２の一部に発熱体３を装着するようにしてもよい。例えば、図６に示すように、挿入部２の上半分に発熱体３を装着して毛布１を使用する場合、使用者の上半身を中心に加温することができる。また、図７に示すように、挿入部２の下半分に発熱体３を装着して毛布１を使用する場合には、使用者の下半身を中心に加温することができる。このように、使用者の状態によって温めたい部位に対応して発熱体３を装着することで使用者毎に最適な加温を行うことが可能となる。
【００２５】
図８は、挿入部２の変形例に関する平面図である。この例では、挿入部２’の中心線Ｔ側の辺部が縫製せずに開口させて残りの辺部を縫製により取り付けるようにしている。このように、挿入部２’の開口位置を内側に形成することで、挿入部２’に装着した発熱体３が外れて落ちにくくなり、毛布１の使い勝手を向上させることができる。
【００２６】
以上説明したように、本考案に係る毛布は、毛布本体に薄地の布材１１及び複数枚の布片１２を縫製により取り付けた簡単な構成からなり、使用者の状態に合わせて発熱体を挿入部に装着することで最適な加温状態を得ることができ、被災現場や避難所等において使用する被災用品として好適なものである。
【符号の説明】
【００２７】
１    毛布
２    挿入部
３    発熱体
10    毛布本体
11    布材
12    布片
13    縁地
【図１】
0003164793.tif 000003
【図２】
0003164793.tif 000004
【図３】
0003164793.tif 000005
【図４】
0003164793.tif 000006
【図５】
0003164793.tif 000007
【図６】
0003164793.tif 000008
【図７】
0003164793.tif 000009
【図８】
0003164793.tif 000010